(57)【特許請求の範囲】
【請求項１】
不連続受信モードで動作するように構成されたモバイル装置であって、
プロセッサと、
前記プロセッサとデータ通信する少なくとも１つの無線インターフェースと、
前記プロセッサ及び前記少なくとも１つの無線インターフェースとデータ通信する論理部であって、
サービス中の基地局及び１つ以上の隣接セルの複数の物理層メトリックであって、異なる種別の信号品質を示す前記複数の物理層メトリックを取得し、
前記取得した複数の物理層メトリックのうちの第１のメトリックを、複数の閾値セットのうちの１つの閾値セットである現在の第１閾値及び現在の第２閾値と比較し、
前記第１のメトリックが前記現在の第１閾値と前記現在の第２閾値との間の範囲外であると判定することに応じて、前記現在の第１閾値及び前記現在の第２閾値を、前記複数の閾値セットのうちの１つの閾値セットである新たな第１閾値及び新たな第２閾値に更新し、隣接セルサーチ持続時間パラメータを前記新たな第１閾値及び前記新たな第２閾値に対応する値に調整するように構成された、前記論理部と、
を備え、
前記隣接セルサーチ持続時間パラメータは、隣接セルサーチを実行する期間を含む、モバイル装置。
【請求項２】
前記現在の第１閾値及び前記現在の第２閾値を更新することは、
前記第１のメトリックが前記現在の第１閾値より小さいと、前記第１のメトリックに基づき前記新たな第１閾値のために前記複数の閾値セットを検索し、前記現在の第１閾値を前記新たな第１閾値に更新し、前記現在の第２閾値を、前記新たな第１閾値に対応する前記新たな第２閾値に更新し、
前記第１のメトリックが前記現在の第２閾値より大きいと、前記第１のメトリックに基づき前記新たな第２閾値のために前記複数の閾値セットを検索し、前記現在の第２閾値を前記新たな第２閾値に更新し、前記現在の第１閾値を、前記新たな第２閾値に対応する前記新たな第１閾値に更新する、
ことを含む、請求項１に記載のモバイル装置。
【請求項３】
前記隣接セルサーチ持続時間パラメータは、前記新たな第１閾値のインデックス値、又は、前記新たな第２閾値のインデックス値に少なくとも部分的に基づき調整される、請求項２に記載のモバイル装置。
【請求項４】
前記複数の物理層メトリックの少なくとも１つは、前記１つ以上の隣接セル及び前記サービス中の基地局から受信した受信同期信号から決定される、請求項１から３のいずれか１項に記載のモバイル装置。
【請求項５】
前記第１のメトリックは、前記サービス中の基地局の基準信号受信品質（ＲＳＲＱ）を含む、請求項１から４のいずれか１項に記載のモバイル装置。
【請求項６】
前記論理部は、前記取得した複数の物理層メトリックのうちの第２のメトリックを評価範囲と比較するようにさらに構成され、
前記隣接セルサーチ持続時間パラメータを調整することは、前記第２のメトリックを前記評価範囲と比較することに基づき実行される、請求項１から５のいずれか１項に記載のモバイル装置。
【請求項７】
前記第１のメトリックを前記現在の第１閾値及び前記現在の第２閾値と比較することは、前記第２のメトリックが前記評価範囲内にあることに応じて実行される、請求項６に記載のモバイル装置。
【請求項８】
前記第２のメトリックは、前記サービス中の基地局及び前記１つ以上の隣接セルから受信した識別信号の信号対雑音比（ＳＮＲ）を含む、請求項６又は７に記載のモバイル装置。
【請求項９】
前記論理部は、前記第２のメトリックが前記評価範囲外であるとき、前記第２のメトリックに基づき前記隣接セルサーチ持続時間パラメータを調整する様にさらに構成されることを特徴とする請求項６から８のいずれか１項に記載のモバイル装置。
【請求項１０】
モバイル装置の隣接セルサーチ持続時間パラメータを適応的に管理する方法であって、
サービス中の基地局及び１つ以上の隣接セルの複数の物理層メトリックであって、異なる種別の信号品質を示す前記複数の物理層メトリックを取得することと、
前記取得した複数の物理層メトリックのうちの第１のメトリックを、複数の閾値セットのうちの１つの閾値セットである現在の第１閾値及び現在の第２閾値と比較することと、
前記第１のメトリックが前記現在の第１閾値と前記現在の第２閾値との間の範囲外であると判定することに応じて、前記現在の第１閾値及び前記現在の第２閾値を、前記複数の閾値セットのうちの１つの閾値セットである新たな第１閾値及び新たな第２閾値に更新し、隣接セルサーチ持続時間パラメータを前記新たな第１閾値及び前記新たな第２閾値に対応する値に調整することと、
を含み、
前記隣接セルサーチ持続時間パラメータは、隣接セルサーチを実行する期間を含む、方法。
【請求項１１】
前記現在の第１閾値及び前記現在の第２閾値を更新することは、
前記第１のメトリックが前記現在の第１閾値より小さいと、前記第１のメトリックに基づき前記新たな第１閾値のために前記複数の閾値セットを検索し、前記現在の第１閾値を前記新たな第１閾値に更新し、前記現在の第２閾値を、前記新たな第１閾値に対応する前記新たな第２閾値に更新し、
前記第１のメトリックが前記現在の第２閾値より大きいと、前記第１のメトリックに基づき前記新たな第２閾値のために前記複数の閾値セットを検索し、前記現在の第２閾値を前記新たな第２閾値に更新し、前記現在の第１閾値を、前記新たな第２閾値に対応する前記新たな第１閾値に更新する、
ことを含む、請求項１０に記載の方法。
【請求項１２】
前記隣接セルサーチ持続時間パラメータは、前記新たな第１閾値のインデックス値、又は、前記新たな第２閾値のインデックス値に少なくとも部分的に基づき調整される、請求項１１に記載の方法。
【請求項１３】
前記複数の物理層メトリックの少なくとも１つは、前記１つ以上の隣接セル及び前記サービス中の基地局から受信した受信同期信号から決定される、請求項１０から１２のいずれか１項に記載の方法。
【請求項１４】
前記第１のメトリックは、前記サービス中の基地局の基準信号受信品質（ＲＳＲＱ）を含む、請求項１０から１３のいずれか１項に記載の方法。
【請求項１５】
前記取得した複数の物理層メトリックのうちの第２のメトリックを評価範囲と比較することをさらに含み、
前記隣接セルサーチ持続時間パラメータを調整することは、前記第２のメトリックを前記評価範囲と比較することに基づき実行される、請求項１０から１４のいずれか１項に記載の方法。
【請求項１６】
前記第１のメトリックを前記現在の第１閾値及び前記現在の第２閾値と比較することは、前記第２のメトリックが前記評価範囲内にあることに応じて実行される、請求項１５に記載の方法。
【請求項１７】
前記第２のメトリックは、前記サービス中の基地局及び前記１つ以上の隣接セルから受信した識別信号の信号対雑音比（ＳＮＲ）を含む、請求項１５又は１６に記載の方法。
【請求項１８】
モバイル装置の隣接セルサーチ持続時間パラメータを適応的に管理するための複数の命令を含む、コンピュータ可読記憶媒体であって、
前記複数の命令は実行されると、前記モバイル装置に、
サービス中の基地局及び１つ以上の隣接セルの複数の物理層メトリックであって、異なる種別の信号品質を示す前記複数の物理層メトリックを取得させ、
前記取得させた複数の物理層メトリックのうちの第１のメトリックを、複数の閾値セットのうちの１つの閾値セットである現在の第１閾値及び現在の第２閾値と比較させ、
前記第１のメトリックが前記現在の第１閾値と前記現在の第２閾値との間の範囲外であると判定することに応じて、前記現在の第１閾値及び前記現在の第２閾値を、前記複数の閾値セットのうちの１つの閾値セットである新たな第１閾値及び新たな第２閾値に更新させ、隣接セルサーチ持続時間パラメータを前記新たな第１閾値及び前記新たな第２閾値に対応する値に調整させる様に構成され、
前記隣接セルサーチ持続時間パラメータは、隣接セルサーチを実行する期間を含む、コンピュータ可読記憶媒体。
【請求項１９】
前記現在の第１閾値及び前記現在の第２閾値を更新させることは、
前記第１のメトリックが前記現在の第１閾値より小さいと、前記第１のメトリックに基づき前記新たな第１閾値のために前記複数の閾値セットを検索させ、前記現在の第１閾値を前記新たな第１閾値に更新させ、前記現在の第２閾値を、前記新たな第１閾値に対応する前記新たな第２閾値に更新させ、
前記第１のメトリックが前記現在の第２閾値より大きいと、前記第１のメトリックに基づき前記新たな第２閾値のために前記複数の閾値セットを検索させ、前記現在の第２閾値を前記新たな第２閾値に更新させ、前記現在の第１閾値を、前記新たな第２閾値に対応する前記新たな第１閾値に更新させる、
ことを含む、請求項１８に記載のコンピュータ可読記憶媒体。
【請求項２０】
前記複数の命令は、さらに、前記取得させた複数の物理層メトリックのうちの第２のメトリックを評価範囲と比較させ、
前記隣接セルサーチ持続時間パラメータを調整することは、前記第２のメトリックを前記評価範囲と比較させることに基づき実行される、請求項１８又は１９に記載のコンピュータ可読記憶媒体。
【発明の詳細な説明】
【技術分野】
【０００１】
本出願は、２０１２年１月３１日付で出願され「ＭＥＴＨＯＤＳ  ＦＯＲ  ＰＯＷＥＲ  ＳＡＶＩＮＧ  ＩＮ  ＤＩＳＣＯＮＴＩＮＵＯＵＳ  ＲＥＣＥＰＴＩＯＮ−ＡＤＡＰＴＩＶＥ  ＮＥＩＧＨＢＯＲ  ＣＥＬＬ  ＳＥＡＲＣＨ  ＤＵＲＡＴＩＯＮ」と題された米国特許仮出願第６１／５９３，２０２号に対して優先権を主張し、２０１３年１月３０日付で出願され「ＭＥＴＨＯＤＳ  ＦＯＲ  ＰＯＷＥＲ  ＳＡＶＩＮＧ  ＩＮ  ＤＩＳＣＯＮＴＩＮＵＯＵＳ  ＲＥＣＥＰＴＩＯＮ−ＡＤＡＰＴＩＶＥ  ＮＥＩＧＨＢＯＲ  ＣＥＬＬ  ＳＥＡＲＣＨ  ＤＵＲＡＴＩＯＮ」と題された同時係属中の共有米国特許出願第１３／７５４，７７４号に対して優先権を主張するものであり、これら出願は各々、この参照によりその全部が本明細書内に組み込まれるものである。
【０００２】
本出願は、２０１２年９月２０日付で出願され「ＭＥＴＨＯＤ  ＦＯＲ  ＰＯＷＥＲ  ＳＡＶＩＮＧ  ＩＮ  ＤＩＳＣＯＮＴＩＮＵＯＵＳ  ＲＥＣＥＰＴＩＯＮ  ＯＦ  ＷＩＲＥＬＥＳＳ  ＲＥＣＥＩＶＥＲ−ＡＤＡＰＴＩＶＥ  ＷＡＫＥ−ＵＰ」と題された米国特許出願第１３／６２３，８０７号、２０１２年９月２６日付で出願され「ＭＥＴＨＯＤ  ＦＯＲ  ＰＯＷＥＲ  ＳＡＶＩＮＧ  ＩＮ  ＤＩＳＣＯＮＴＩＮＵＯＵＳ  ＲＥＣＥＰＴＩＯＮ  ＯＦ  ＷＩＲＥＬＥＳＳ  ＲＥＣＥＩＶＥＲ−ＳＴＡＧＧＥＲＥＤ  ＭＥＡＳＵＲＥＭＥＮＴ」と題された第１３／６２７，９３６号、及び２０１２年９月２８日付で出願され「ＭＥＴＨＯＤ  ＦＯＲ  ＰＯＷＥＲ  ＳＡＶＩＮＧ  ＩＮ  ＤＩＳＣＯＮＴＩＮＵＯＵＳ  ＲＥＣＥＰＴＩＯＮ  ＯＦ  ＷＩＲＥＬＥＳＳ  ＲＥＣＥＩＶＥＲ−ＡＤＡＰＴＩＶＥ  ＲＥＣＥＩＶＥＲ  ＭＯＤＥ  ＳＥＬＥＣＴＩＯＮ」と題された第１３／６３１，６５０号に関連し、これら出願は各々、この参照によりその全部が本明細書内に組み込まれる。
【０００３】
本開示は、広くは無線通信及びネットワークの分野に関する。より具体的には、本開示は、とりわけ、不連続受信中の省電力を管理し改善する方法及び装置を対象とする。
【背景技術】
【０００４】
本開示のその他の特徴及び利点は、添付図面、及び以下に記載されるような例示的実施形態の詳細な説明を参照することで、当業者によって即座に認識されるであろう。
【発明の概要】
【発明が解決しようとする課題】
【０００５】
本開示は、とりわけ不連続受信中の省電力を管理及び改善する改善された方法及び装置を提供することにより、上述の要求を満たす。
【課題を解決するための手段】
【０００６】
先ず、モバイル装置のパラメータを適応的に管理する方法を開示する。一実施形態において、この方法は、パラメータを管理するために少なくとも部分的に使用される一連の評価基準を初期化すること、パラメータの適応的管理に有用な測定値を取得すること、測定値を一連の評価基準のうちのそれぞれと比較すること、比較に少なくとも部分的に基づいて、パラメータを更新する必要があるか否かを判定すること、及びパラメータの更新が必要であると判定された場合に前記パラメータを更新すること、を含む。
【０００７】
改良された電力管理を有するモバイル装置を開示する。一実施形態において、モバイル装置は、セルラー（例えば、ＬＴＥ）ネットワーク内の動作が可能なユーザ機器（ＵＥ）を備え、一連の評価基準に基づいてパラメータの調節を実施するように構成された論理を備えている。
【０００８】
コンピュータ可読装置を開示する。一実施形態において、この装置は、実行されると、例えば、モバイル装置内の省電力を改良するように、不連続チャネル動作の管理を実施するように構成された、少なくとも１つの開示のコンピュータプログラムをその上に有する記憶媒体を備えている。
【０００９】
集積回路（ＩＣ）を開示する。一実施形態において、この集積回路は、例えば、モバイル装置内の省電力を改良するように、不連続チャネル動作の管理を実施するように構成された論理を備えている。
【００１０】
無線システムを開示する。一実施形態において、このシステムは、複数の基地局、及び複数のモバイルユーザ装置を含んでいる。このモバイルユーザ装置は、省電力を改良するように、不連続チャネル動作の管理を実施するように構成されている。
【００１１】
モバイル装置のサーチ持続時間を適応的に管理する方法を開示する。一実施形態において、この方法は、１つ以上の閾値の集合を確立することと、サーチ持続時間の集合を確立すること、通信信号の１つ以上の物理品質の少なくとも１つの示度を提供すること、１つ以上の物理品質の少なくとも一部に基づいて、少なくとも１つの示度が対応する１つ以上の閾値の集合内であるか否かを判定すること、及び判定に基づくサーチ持続時間の集合を使用して、サーチ持続時間を更新することと、を含む。
【００１２】
モバイル装置の改良された電力管理の能力を有する基地局装置を開示する。一実施形態において、この基地局は、モバイル装置の省電力を改良するように、セルラーネットワーク内のモバイル装置のセルサーチ持続時間を適応的に制御するように構成されている。
【００１３】
他の特徴及び有利点は、添付図面、及び以下に記載されるような例示的実施形態の詳細な説明を参照することで、当業者によって即座に認識されるであろう。
【図面の簡単な説明】
【００１４】
【図１】本開示の様々な態様と共に有用な一例示的ロングタームエボリューション（ＬＴＥ）セルラーネットワークの図表示である。
【図２】本開示に係る物理パラメータを設定する一般化した方法の一実施形態を図示した論理フローチャートである。
【図２Ａ】図２の方法の一例示的実施をサーチ持続時間の文脈で図示した論理フローチャートである。
【図３】本開示に係る第１並びに第２の閾値及び持続時間の一例示的集合の図表示である。
【図４】本開示の様々な態様と共に有用なＬＴＥ無線フレームの図表示である。
【図４Ａ】本開示の様々な態様と共に有用な同期シーケンスを含むＬＴＥ無線フレームの図表示である。
【図５】本開示の様々な態様と共に有用な同期信号を検出するための一般化した相関機構の論理ブロック図である。
【図６】本開示に係る、不連続受信中の電力消費を改善するための一般化した方法の一実施形態を図示した論理フローチャートである。
【図６Ａ】図６の方法の一例示的実施を図示した論理フローチャートである。
【図７】本開示に係る装置の一実施形態の図である。
【発明を実施するための形態】
【００１５】
全ての図は、２０１２年に作成され、２０１３年に最終更新されたものであり、その全ての著作権はＡｐｐｌｅ  Ｉｎｃ．が保持している。
【００１６】
ここで図面を参照するが、全体を通して、同様の番号は同様の部分を指す。
【００１７】
本開示の例示的実施形態を、ここで詳細に説明する。これらの実施形態は、主として第３世代（３Ｇ）ユニバーサル移動体通信システム（ＵＭＴＳ）無線ネットワーク、ワイマックス（ＷｉＭＡＸ）、ロングタームエボリューション（ＬＴＥ）無線ネットワーク、及びその他の第４世代（４Ｇ）又はＬＴＥアドバンスト（ＬＴＥ−Ａ）無線ネットワークを含むがこれに限定されないセルラーネットワークの文脈で述べられているものの、当業者であれば、本開示がこれに限定されないことを認識するであろう。実際、本開示の様々な特徴は、本明細書内で説明する適応サーチ手順の恩恵を受けることのできる任意の無線ネットワークにとって有用であり、これに容易に適合することができる。
【００１８】
概要
多くの既存のセルラーネットワークにおいて、無線ユーザ機器（ＵＥ）（例えば、携帯電話機、スマートフォン、タブレットなど）の電力消費を抑え、電池寿命を改善するために、不連続受信（ＤＲＸ）の概念が活用されている。受信又は送信すべきパケットが存在しないときには、ＤＲＸはＵＥ回路のほとんどをパワーダウンさせ、指定された時間にネットワークをリッスンするためにのみＵＥをウェイクアップさせる。
【００１９】
ＤＲＸ中、ＵＥにとって１つの重要なタスクは、ＲＲＣ＿ＩＤＬＥモードにおけるＵＥのセルを再選択し、又はＲＲＣ＿ＣＯＮＮＥＣＴＥＤモードにおける基地局（ＢＳ）によるハンドオーバーの決定について稼働中のＢＳに報告するために、隣接セルの必要な測定を実行することである。しかし、測定を行うことができるようになる前に、隣接セルをサーチし、検出しなければならない。ＵＥは、ウェイクアップ状態に入ると同時に、隣接セルによって送信される連続した周期的なサンプルと同期する試みを実行することにより、隣接セルを検出しようと試みる。ＵＥは、隣接セルの検出の信頼性を高めるために、同期の試みを繰り返し実行することができる。このような試みを繰り返すプロセスは、ＵＥのウェイクアップ時間のかなりの部分を占め、ＵＥによる電力消費の増加が必要となる。
【００２０】
この問題及びその他の問題に対処するために、本開示の種々の実施形態は、ＵＥによる必須の電力消費を最小限に抑えながら検出の十分な信頼性を提供するように物理層メトリックに基づいて隣接セルを検出するために、例えば、同期を試みる回数及び／又は使用されるサンプル数の調整をはじめとする適応解を実施している。
【００２１】
セルラーネットワークにおける電力消費及びその管理
以下の検討では、各々がセルサイト又は基地局（ＢＳ）として知られる送信局によってサービスが提供される無線セルのネットワークを含むセルラー無線方式について説明する。無線ネットワークは、複数のユーザ機器（ＵＥ）送受信機向けの無線通信サービスを提供する。ＢＳが連係して機能するネットワークは、単一でサービスを提供するＢＳによって提供される無線カバレージよりも広範囲に亘る無線サービスを可能とする。個々のＢＳは、リソース管理及び場合によっては他のネットワーク方式（インターネット、他のセルラーネットワークなど）へのアクセスのための追加のコントローラを含むコアネットワークに接続されている。
【００２２】
図１は、ユーザ機器（ＵＥ）１０２が多数の基地局（ＢＳ）１０４によって提供される無線アクセスネットワーク（ＲＡＮ）のカバレージ内で動作する一例示的ロングタームエボリューション（ＬＴＥ）セルラーネットワーク１００を図示している。ＬＴＥ基地局は、一般的に「拡張ノードＢ」（ｅＮＢ）と呼ばれる。無線アクセスネットワーク（ＲＡＮ）は、無線ネットワークコントローラ（ＲＮＣ）を伴うｅＮＢの集合体である。ユーザは、多くの一般的な使用事例としてはセルラー電話機又はスマートフォンであるＵＥを介してＲＡＮとインターフェースする。しかし、本明細書内で使用する「ＵＥ」、「クライアント装置」、及び「ユーザ装置」という言葉には、セルラー電話機、スマートフォン（例えば、本出願の譲受人によって製造されるｉＰｈｏｎｅ（商標）など）、例えばｉＭａｃ（商標）、Ｍａｃ  Ｐｒｏ（商標）、Ｍａｃ  Ｍｉｎｉ（商標）、若しくはＭａｃＢｏｏｋ（商標）などのパーソナルコンピュータ（ＰＣ）、デスクトップ、ラップトップ、ないしはその他の種類のミニコンピュータ、並びにハンドヘルドコンピュータ、ＰＤＡ、例えば、ｉＰｏｄ（商標）のようなパーソナルメディア装置（ＰＭＤ）などのモバイル装置、又はこれらの任意の組み合わせが挙げられるが、これらに限定されない。
【００２３】
ｅＮＢ  １０４の各々は、例えば、ブロードバンドアクセスによってコアネットワーク１０６と直接連結されている。更に、ネットワークによっては、ｅＮＢは、２次的なアクセスチャネルを介して相互に連係することができる。コアネットワークは、経路指定及びサービスの両方の機能を提供する。例えば、第１のｅＮＢに接続されている第１のＵＥは、コアネットワークを介した経路指定によって第２のｅＮＢに接続されている第２のＵＥと通信することができる。同様に、ＵＥは、コアネットワークを介して、例えば、インターネットのような他の種類のサービスをアクセすることができる。
【００２４】
無線ユーザ機器（ＵＥ）の電力消費を低減させ、電池寿命を改善するために、特定の無線技術は所謂「不連続受信（ＤＲＸ）」及び「不連続送信（ＤＴＸ）」を実施している。ＤＲＸ及びＤＴＸ動作中は、ＵＥは、受信又は送信すべきパケットが存在しないときには無線送受信機回路のほとんどをパワーダウンする。パワーダウンされた（「スリープモード」にある）構成要素は、例えば、ネットワークからデータを受信（「リスニング」）するために指定された時間間隔でパワーアップ（「ウェイクアップ」、「ウォームアップ」）される。ウェイクアップ中、ＵＥは、例えば、ＵＥの時刻及び周波数をＢＳと同期させ、フィードバックループを安定させることを可能とすることなどにより、無線送受信機に受信をさせるように準備しなければならない。ＤＲＸ及びＤＴＸを使用することにより装置のスタンバイ時間が大幅に改善され、使用頻度の低いシナリオでの電力消費をかなり低減させることができる。
【００２５】
ＤＲＸは、異なるネットワーク接続状態でイネーブルすることができるが、これらのネットワーク接続状態には、ＵＥが無線リソース接続（ＲＲＣ）を有するとき、及びＵＥがアイドル状態にあるときが含まれる。接続モードでのＤＲＸ動作中、ＵＥは、基地局（ＢＳ）によって決定された特定認識パターン（例えば、パケットヘッダなど）の後に続くダウンリンク（ＤＬ）パケットをリッスンする。これに対してアイドルモードでのＤＲＸ動作中、ＵＥは、ＵＥがネットワークに接続してアップリンク（ＵＬ）のタイミングを取得する必要があるかどうかを判定するために、ＢＳからのページングメッセージを周期的に探す。ＬＴＥネットワークの例示的な文脈内で、ＤＲＸモード動作は、（ｉ）ＲＲＣ＿ＣＯＮＮＥＣＴＥＤ、及び（ｉｉ）ＲＲＣ＿ＩＤＬＥの２つの全く異なる状態の指定を受ける。
【００２６】
ＲＲＣ＿ＣＯＮＮＥＣＴＥＤ状態では、ＤＲＸモードは、ダウンリンク（ＤＬ）パケットの到着のアイドル期間中にイネーブルされる。ＲＲＣ＿ＩＤＬＥ状態では、ＵＥは、（ページングスケジュールに従って）ＤＬトラヒックのためにページングされるか、又はサービス中のｅＮＢとのＲＲＣ接続を要求することによってアップリンク（ＵＬ）トラヒックを開始しなければならない。
【００２７】
現在、ＤＲＸ及びＤＴＸ技術は、例えば、ユニバーサル移動体通信システム（ＵＭＴＳ）、ＬＴＥ（ロングタームエボリューション）、及びＷｉＭＡＸ（ワイマックス）をはじめとする幾つかの無線技術に使用されている。初期の技術は、動作中にかなりの量の電力を消費する技術を使用することによって非常に高速なデータレートをサポートするであろう。その結果、非活動中の送受信機の使用を低減することにより、送受信機の電力消費が大幅に改善されるであろう。ＤＲＸの既存の方式はＢＳによって制御されており、即ち、ＢＳからＵＥにＤＲＸ送信が行われる時間はＢＳが決定するが、ＵＥは独立してそのウェイクアップ手順を管理してＤＲＸ送信を確実に受信する。
【００２８】
更に、ＤＲＸモード中の１つの重要なタスクは、ＲＲＣ＿ＩＤＬＥ状態でＵＥのセルを再選択し、又はＲＲＣ＿ＣＯＮＮＥＣＴＥＤ状態でＢＳのハンドオーバーの決定に関する報告をサービス中のＢＳに行うために、隣接ｅＮＢの必要な測定を実行することである。測定を行うことができるようになる前に、隣接ｅＮＢをサーチし、検出しなければならない。ＵＥは、ｅＮＢが周期的に送る同期信号に基づいて、隣接ｅＮＢを検出する。ＵＥは、隣接ｅＮＢの検出の信頼性を高めるために、同期の試みを繰り返し実行することができる。ＤＲＸモードでは、同期はＵＥのウェイク時間の大きな一因となることがある。
【００２９】
ｅＮＢがサーチされ、検出された後、測定中のｅＮＢの無線アクセス技術（ＲＡＴ）によっては、例示的なＵＥによって実行される４種類のセル測定がある。第１の種類の測定は、サービス中のセルの測定であり、これは、ＵＥが「キャンプオン」しているサービス中のセルの信号強度の測定である。サービス中のセルの測定は、一般的には他の測定よりもより頻繁に測定される。例えば、ＬＴＥでは、サービス中のセルの測定は、ＤＲＸサイクル毎に少なくとも１回測定される必要がある。
【００３０】
第２の種類の測定は、周波数内セルの測定である。この測定は、通常、サービス中のセルの基準信号受信電力（ＲＳＲＰ）又は基準信号受信品質（ＲＳＲＱ）がそれぞれの閾値よりも下がったときに開始される。
【００３１】
第３の測定は、周波数間セルの測定である。ＵＥは、ネットワークの閾値の設定に基づいて、周波数間ＬＴＥ隣接セルの関連した測定値の品質を検出し、測定する必要がある。
【００３２】
第４の種類の測定は、ＲＡＴ間セルの測定である。サービス中のセル／ＢＳの品質が優先度の高い閾値よりも高い場合、ＲＡＴ間セル測定を行うことができ、ＵＥが特定の周期性で優先度のより高いＲＡＴ間周波数層をサーチすることができる。サービス中のセルの品質が別の閾値未満であれば、ＵＥは設定された測定周波数について全てのＲＡＴ間セルをサーチし、測定する。
【００３３】
方法
図２は、本開示に係る物理チャネルメトリックを使用して不連続受信中の電力消費を改善する方法２００の一実施形態を図示している。この方法は、サービス中のセル／基地局（ＢＳ）の物理チャネルに関連した評価基準に従ってパラメータ（例えば、サーチウィンドウの期間など）を調節する。
【００３４】
図２を参照すると、方法２００のステップ２０２において、ＵＥが、対象とするパラメータを適応的に変更するために使用する隣接セルサーチパラメータを初期化する。
【００３５】
図２の例示的な実施形態において、対象とするパラメータを増減させるために別個の評価基準が維持される。隣接セルパラメータを増減させるための別個の評価基準を維持する利点は、パラメータを増減させるための単一の評価基準の集合のみを導入すると、常に特定の評価基準の周辺で測定が行われた場合、パラメータ（例えば、サーチ持続時間）が２つのサーチ持続時間の間を頻繁に振動し、又は揺らぐことが起こり得るであろう点にある。別個の評価基準を維持することによって、パラメータを変更する前に、測定値の十分な増減を反映することができる。
【００３６】
図２に戻って、ステップ２０４において、ＵＥが、ＵＥとの通信範囲内にあるＢＳから物理層の測定値を取得する（例えば、自ら取りに行くか、又は別のソースから受け取る）。
【００３７】
ステップ２０６において、物理層の測定値が第１の評価基準を満たすか否かをＵＥが判定する。測定値が評価基準を満たす場合、隣接セルパラメータ（例えばサーチ持続時間）の調節は不要であり、この方法はステップ２１２に進む。評価基準が満たされていなければ、それは現行の隣接セルパラメータを使用した隣接セルの識別の信頼性が損なわれる可能性があり、十分な信頼性を提供するようにパラメータを調節すべきであることを示している。ステップ２０８において、新しい隣接セルパラメータが決定される。
【００３８】
ステップ２０８において、物理層の測定値が第１の評価基準を満たすか否かをＵＥが判定する。この判定がなされた後、この方法はステップ２１０に進む。
【００３９】
ステップ２１０において、ＵＥが隣接セルサーチパラメータを更新する。隣接セルサーチパラメータが更新された後、ＵＥはステップ２０４に戻ることができる。
【００４０】
ステップ２１２に進んで、物理層の測定値が第２の評価基準を満たすか否かをＵＥが判定する。測定値が評価基準を満たす場合、それはセルの識別に関して決定されたレベルの信頼性を維持しながらパラメータを調節するのに十分な品質であるとみなされる。この方法は、次に、ステップ２１４に進む。
【００４１】
方法２００のステップ２１４において、物理層の測定値が第２の評価基準を満たすか否かをＵＥが判定する。評価基準が満たされている場合、この方法は、次に、ステップ２１６に進む。
【００４２】
ステップ２１６において、ＵＥが隣接セルサーチパラメータを更新する。隣接セルサーチパラメータが更新された後、ＵＥはステップ２０４に戻ることができる。
【００４３】
ステップ２１８において、物理チャネルの測定値が（ステップ２３６によって）第１の評価基準を満たしており、（ステップ２１２によって）第２の評価基準を満たしていないと判定された後、ＵＥは、隣接セルパラメータを更新しない。次に、この方法は、ステップ２０４に戻る。
【００４４】
図２ａは、図２に係る信号強度及び品質を示す物理チャネルメトリックを使用して不連続受信中の電力消費を改善する一般化された方法２００のもう１つの具体的な実施形態２３０を図示している。一態様において、この方法は、サービス中のセル／基地局（ＢＳ）から受信した信号の品質に従ってサーチウィンドウの期間を調節する。具体的には、ユーザ機器（ＵＥ）又はその他の装置は、ＵＥが測定したサービス中のＢＳの基準信号受信品質（ＲＳＲＱ）を様々な事前設定されたＲＳＲＱ閾値限界値と比較することによって隣接セルとの同期の試みを実行するためのサーチウィンドウの持続時間を構成することができる。
【００４５】
図２ａを参照すると、方法２３０のステップ２３２において、ＵＥが、サーチウィンドウの持続時間を適応的に変更するために使用する隣接セルサーチパラメータを初期化する。このような別の一実施形態において、候補となる隣接セルサーチ持続時間（ＮＣＳＤＵＲ）の集合の大きさＮの離散集合Ｓが、最短許容ＮＣＳＤＵＲ時間から最長許容ＮＣＳＤＵＲ時間までの範囲で昇順で選択される。更に、ＮＣＳＤＵＲを増加させるべきか、又は減少させるべきかを判定するために使用されるＲＳＲＱ値を示す、２組のＲＳＲＱ閾値の集合が確立される。降順に配列された第１のＲＳＲＱ閾値（ＲＳＲＱ＿Ｔｈｒｅｓｈｏｌｄｌｏｗ）の集合は、ＵＥが現行のＮＣＳＤＵＲよりも長い持続時間の特定のＮＣＳＤＵＲを選択する場合を判定するために使用される。降順に配列された第２のＲＳＲＱ閾値（ＲＳＲＱ＿Ｔｈｒｅｓｈｏｌｄｈｉｇｈ）の集合は、ＵＥが、現在使用中のＮＣＳＤＵＲよりも短い持続時間の特定のＮＣＳＤＵＲを選択する場合を判定するために使用される。ＲＳＲＱ＿Ｔｈｒｅｓｈｏｌｄｌｏｗ及びＲＳＲＱ＿Ｔｈｒｅｓｈｏｌｄｈｉｇｈの閾値集合は共に、Ｎ−１の集合の大きさ（即ち、集合の大きさＳよりも１だけ小さい集合の大きさ）を有する。集合の添え字（ｉ）は、下記の式（１）、式（２）、及び式（３）に従って集合の最初の値（即ち、ｉ＝０）で初期化される。
ＮＣＳＤＵＲ＝Ｓ（ｉ）；                                              （式１）
ＲＳＲＱｌｏｗ＝ＲＳＲＱ＿Ｔｈｒｅｓｈｏｌｄｌｏｗ（ｉ）；                （式２）
ＲＳＲＱｈｉｇｈ＝ＲＳＲＱ＿Ｔｈｒｅｓｈｏｌｄｈｉｇｈ（ｉ）；              （式３）
【００４６】
図３は、ＮＣＳＤＵＲ、ＲＳＲＱ＿Ｔｈｒｅｓｈｏｌｄｌｏｗ、及びＲＳＲＱ＿Ｔｈｒｅｓｈｏｌｄｈｉｇｈの値の例示的な集合の図解である。本開示の方法の別の一実施形態において、ＲＳＲＱ＿Ｔｈｒｅｓｈｏｌｄｌｏｗ及びＲＳＲＱ＿ＴｈｒｅｓｈｏｌｄｈｉｇｈはｄＢｍで表されるＲＳＲＱ閾値の集合であるが、一方で、ＮＣＳＤＵＲはミリ秒（ｍｓ）の持続時間の集合である。図２に関して上述したとおり、隣接セルサーチ持続期間を増減させるための別個の評価基準（ここでは閾値）を維持する利点は、サーチ持続時間を増減させるための閾値の単一の集合のみを実施すると、ＲＳＲＱが常に特定の閾値の周辺で測定される場合、サーチ持続時間が２つのサーチ持続時間の間を頻繁に振動し、又は揺らぐことが起こり得るであろう点にある。別個の閾値の集合を維持することにより、サーチ持続時間を変更する前に、ＲＳＲＱの十分な増減を反映することができる。
【００４７】
図２ａに戻って、ステップ２３４において、ＵＥが、ＵＥとの通信範囲内にあるＢＳから物理層の測定値を取得する（例えば、自ら取りに行くか、又は別のソースから受け取る）。一実施形態において、ＵＥがＣＯＮＮＥＣＴＥＤモードにあるとき、ＵＥはサービス中のＢＳのＲＳＲＱを測定し、計算する。簡単な余談として、ＲＳＲＱは、基準信号受信電力（ＲＳＲＰ）と受信信号強度インジケータ（ＲＳＳＩ）との比である。ＲＳＲＰは特定のセルの信号強度を判定するためにその特定のセルからの全帯域幅に亘る全てのダウンリンクの基準信号（ＲＳ）の電力の平均であるが、ＲＳＲＰは信号品質の表示は示さない。例示的な受信信号強度インジケータ（ＲＳＳＩ）のパラメータは、サービス中のセルからの、全ての干渉及び熱雑音を含む総受信信号電力である。ＲＳＲＰをＲＳＳＩと比較することにより、ＲＳＲＱは、サービス中のＢＳから受信した信号の品質及び電力の示度を提供する。したがって、ＵＥがＲＳＲＱを監視することにより、適応的隣接セルサーチ持続時間は、サービス中の基地局の受信信号電力レベル及び意思決定を行うにあたって受けた干渉の量の両方を反映することができる。
【００４８】
ステップ２３６において、ＵＥが、物理層の測定値が第１の閾値以内であるか否かを判定する。例示的な一実施形態において、測定されたＲＳＲＱがＲＳＲＱｌｏｗと比較される。ＲＳＲＱがＲＳＲＱｌｏｗの閾値よりも大きな値であれば、隣接セルサーチ持続時間を増加させる必要はなく、この方法はステップ２４２に進む。ＲＳＲＱがＲＳＲＱｌｏｗ未満であれば、それは、現行の隣接セルサーチ持続時間を使用した隣接セルの識別の信頼性が損なわれる可能性があり、十分な信頼性を提供するためには持続時間を増加するべきであることを示している。ステップ２３８において、隣接セルサーチ持続時間の増加が決定される。
【００４９】
ステップ２３８では、ＵＥが、物理層の測定値が第１の閾値の範囲の集合の中にあるか否かを判定する。一実施形態において、ＵＥは、式（４）を満たす添え字ｉを見つけるためにＲＳＲＱ＿Ｔｈｒｅｓｈｏｌｄｌｏｗの集合を検索する。
【００５０】
ＲＳＲＱ＿Ｔｈｒｅｓｈｏｌｄｌｏｗ（ｉ＋１）＜ＲＳＲＱ≦ＲＳＲＱ＿Ｔｈｒｅｓｈｏｌｄｌｏｗ（ｉ）        （式４）
ＲＳＲＱ＿Ｔｈｒｅｓｈｏｌｄｌｏｗの値の集合を検索することにより、ＵＥは、低ＲＳＲＱ測定値が幾つの閾値を超えたかを判定して隣接セルサーチ持続時間のウィンドウを正しく更新することができる。式（４）を満たすｉの値がなければ、それは、ＲＳＲＱがＲＳＱＰ＿Ｔｈｒｅｓｈｏｌｄｌｏｗの最低値よりも低いことを示しており、したがってｉが候補中の最低値であるＲＳＱＰ＿Ｔｈｒｅｓｈｏｌｄｌｏｗのｉ＝（Ｎ−１）に設定される。このような場合、ＮＣＳＤＵＲは候補中最長の持続時間に設定されることに留意されたい。添え字ｉが決定された後、この方法はステップ２４０に進む。
【００５１】
ステップ２４０において、ＵＥが隣接セルサーチパラメータを更新する。一実施形態において、ＵＥは、ステップ２３８によって決定された添え字ｉの値を使用して隣接セルサーチパラメータを更新する。式（１）、式（２）、及び式（３）をそれぞれ使用して、サーチパラメータであるＮＣＳＤＵＲ、ＲＳＲＱｌｏｗ、及びＲＳＲＱｈｉｇｈが更新される。隣接セルサーチパラメータを更新することにより、隣接セルサーチの持続時間が修正されると共に、別のセルサーチ持続時間の調節が必要となるかもしれない場合を示す閾値も更新される。したがって、隣接セルサーチ持続時間を更新することにより、本開示は、不必要に長いセルサーチ持続時間を回避することによって、電力消費を低減しながらセル識別の最低限のレベルの信頼性を有利に確保する。隣接セルサーチパラメータが更新された後、ＵＥはステップ２３４に戻ることができる。
【００５２】
ステップ２４２に進んで、物理層の測定値が第２の閾値以内であるか否かをＵＥが判定する。例示的な一実施形態において、測定されたＲＳＲＱがＲＳＲＱｈｉｇｈの値と比較される。ＲＳＲＱがＲＳＲＱｈｉｇｈ未満であれば、それは、ＲＳＲＱが隣接セルサーチをより短い持続時間に変更するのに十分な改善がされていないことを示しており、この方法はステップ２４８に進む。ＲＳＲＱがＲＳＲＱｈｉｇｈよりも大きければ、ＲＳＲＱは、セルを認識するために判定された信頼性のレベルを維持しながら隣接セルサーチ持続時間のウィンドウを減少させるのに十分な品質であるとみなされる。ＲＳＲＱがＲＳＲＱｈｉｇｈよりも大きいと判定された後、この方法はステップ２４４に進む。
【００５３】
方法２３０のステップ２４４では、ＵＥが、物理層の測定値が第２の閾値の集合の中にある場合を判定する。一実施形態において、ＵＥは、式（５）を満たす添え字ｉを見つけるためにＲＳＲＱ＿Ｔｈｒｅｓｈｏｌｄｈｉｇｈの集合を検索する。
【００５４】
ＲＳＲＱ＿Ｔｈｒｅｓｈｏｌｄｈｉｇｈ（ｉ）＜ＲＳＲＱ≦ＲＳＲＱ＿Ｔｈｒｅｓｈｏｌｄｈｉｇｈ（ｉ−１）        （式５）
ＲＳＲＱ＿Ｔｈｒｅｓｈｏｌｄｈｉｇｈの値の集合を検索することにより、ＵＥは、高ＲＳＲＱ測定値が幾つの閾値を超えたかを判定して隣接セルサーチ持続時間のウィンドウを正しく更新することができる。式（５）を満たすｉの値が存在しなければ、それは、ＲＳＲＱがＲＳＲＱ＿Ｔｈｒｅｓｈｏｌｄｈｉｇｈの最大値よりも大きいことを示している。このような場合、添え字ｉは、ＲＳＲＱ＿Ｔｈｒｅｓｈｏｌｄｈｉｇｈの最大値、即ちｉ＝０として決定される。添え字ｉの値が決定された後、この方法はステップ２４６に進む。
【００５５】
ステップ２４６において、ＵＥが隣接セルサーチパラメータを更新する。一実施形態において、ＵＥは、ステップ２４４によって決定された添え字ｉの値を使用して隣接セルサーチパラメータを更新する。式（１）、式（２）、及び式（３）をそれぞれ使用して、サーチパラメータであるＮＣＳＤＵＲ、ＲＳＲＱｌｏｗ、及びＲＳＲＱｈｉｇｈが更新される。隣接セルサーチパラメータが更新された後、ＵＥはステップ２３４に戻ることができる。
【００５６】
ステップ２４８において、物理チャネルの測定値が（ステップ２３６によって）第１の閾値以内ではなく、（ステップ２４２によって）第２の閾値以内ではないと判定された後は、ＵＥは、隣接セルサーチパラメータを更新しない。一実施形態において、ＵＥは、格納されているＮＣＳＤＵＲ、ＲＳＲＱｌｏｗ、及びＲＳＲＱｈｉｇｈの値を再使用し、次にステップ２３４に戻る。
【００５７】
別の方法の実施形態において、ＵＥは前回使用した添え字ｉの値を保持し、式（１）、式（２）、及び式（３）をそれぞれ使用してＮＣＳＤＵＲ、ＲＳＲＱｌｏｗ、及びＲＳＲＱｈｉｇｈを再初期化する。前述のパラメータが再初期化された後、ＵＥはステップ２３４に戻ることができる。
【００５８】
例示的な隣接セルサーチ持続時間の動作
その結果、本開示の例示的な一態様において、測定された物理チャネルの特性に基づいて関連するパラメータ（例えば、隣接セルサーチ持続時間）を適応的に調節する隣接セルサーチ手順を改善する方式が開示されている。隣接パラメータ（例えば、セルサーチ持続時間）の既存の解決策が所定のタイマーに基づいているのに対して、本開示の例示的な一実施形態は、基準信号受信電力（ＲＳＲＰ）、受信信号強度表示（ＲＳＳＩ）、信号対干渉雑音比（ＳＩＮＲ）、及びサービス中のＢＳの受信ブロック誤り率（ＢＬＥＲ）、加えてサービス中のＢＳ並びに以前に検出された隣接セルの双方からの一次同期シーケンス（ＰＳＳ）及び二次同期シーケンス（ＳＳＳ）のＳＮＲなどの重要な性能メトリックに基づいて隣接セルサーチ持続時間を適応的に調節する。
【００５９】
適応的隣接セルサーチの詳細に取りかかる前に、ここで本開示の種々の実施形態と共に有用な種々の構成要素及び手順について、より詳細に述べる。
【００６０】
不連続送受信（ＤＲＸ／ＤＴＸ）
本開示の拡張ノードＢ（ｅＮＢ）は、ユーザ機器（ＵＥ）に伝えられる様々なタイマー及び／又はパラメータを使用してＤＲＸ動作を制御する。簡単な余談として、ＬＴＥ通信は、フレーム、サブフレーム、及びスロットを含むタイムスケジュールに従って運営される。このような一つの例示的なＬＴＥフレーム４００を図４に図示する。
【００６１】
ＵＥが無線リソース接続を有するとき、ＵＥに通信用の１つ以上のタイムスロットを割り当てることができる。ＵＥのＲＲＣ接続モードでＤＲＸ動作がイネーブルされている場合、ＵＥは、そのリソースの割り当てに従ってウェイクアップし、スリープする。ＲＲＣアイドルモード中、ＵＥは無線リソース接続を有しない。ＵＥは、周期的にウェイクアップしてデータのフレーム内でページングされているかを確かめる。フレームがＵＥのためのページングを有しなければ、ＵＥはスリープに戻る。
【００６２】
接続モードのＤＲＸ（ＲＣＣ＿ＣＯＮＮＥＣＴＥＤ状態にある時に実行されるＤＲＸ）では、ＤＲＸ非活動タイマーがＤＲＸをイネーブルするまで待たなければならない時間を連続サブフレームの数で示す。
【００６３】
更に、ＤＲＸ動作は短サイクルと長サイクルとに分割される。短ＤＲＸサイクル及び長ＤＲＸサイクルによって、ｅＮＢが進行中のアプリケーションの活動に基づいてＤＲＸのサイクルを調節することが可能となる。例えば、短時間の活動停止中には、始めにＵＥを短ＤＲＸサイクルに置くことができる。ＤＲＸの短サイクルタイマーが、長ＤＲＸサイクルに移行すべき時期を判定する。即ち、ＵＥの動作が一切ないままにＤＲＸの短サイクルタイマーが終了したならば、ＵＥは電力消費を更に低減させる長ＤＲＸサイクルへと移行する。
【００６４】
首尾よくパケットを受信した後に長時間に亘って新しいパケットが伝送されなければ（パケット受信の失敗は接続のフェージング／遮断の徴候であり、回復／再接続手順によって処理される）、ｅＮＢはＲＲＣ接続を解放することができる。ＵＥがＲＲＣ＿ＩＤＬＥ状態に移行した後は、アイドルモードＤＲＸがイネーブルされる。
【００６５】
アイドルモードＤＲＸ（ＲＲＣ＿ＩＤＬＥ状態にある間に実行されるＤＲＸ）では、ＯＮ持続時間タイマーがダウンリンク（ＤＬ）制御チャネルを読み出すまでにＵＥがスリープし続けることのできるフレーム数を判定する。ＯＮ持続時間タイマーに一般的に使用される値は、１、２、３、４、５、６、８、１０、２０、３０、４０、５０、６０、８０、１００、及び２００である。アイドルモードＤＲＸの間には、ＵＥは、ＤＲＸサイクル（即ち、１サブフレーム）当たり１回のページングの発生を監視するだけでよい。アイドルＤＲＸサイクルは、３２０ミリ秒、６４０ミリ秒、１．２８秒、及び２．５６秒である。
【００６６】
セルサーチ及び選択
隣接セルの測定を行うことができるようになる前に、ＵＥは、ｅＮＢから周期的に送信される既知の同期シーケンスを取得することによって隣接セルを検出し、これと同期する必要がある。ＬＴＥでは、一次同期シーケンス（ＰＳＳ）及び二次同期シーケンス（ＳＳＳ）の２種類の同期シーケンスが送信される。
【００６７】
ここで図４Ａを参照すると、同期信号の構成を示す無線フレーム構造が図示されている。指定されたルートインデックスを有する周波数領域Ｚａｄｏｆｆ  ＣｈｕシーケンスによってＰＳＳ  ４０２が形成されている。ＰＳＳがセルの物理層ＩＤを指定する。ＰＳＳは、最初のサブフレーム（即ち、サブフレーム０）の最初のタイムスロットの最後のＯＦＤＭシンボル内で伝送される。ＰＳＳの位置が、サイクリックプレフィクスから独立したスロット境界を取得するためにＵＥをイネーブルする。例示的な図の中で、ＰＳＳは無線フレーム当たり２回伝送され、サブフレーム５（即ち、スロット１０）の中で繰り返される。ＰＳＳをサブフレーム０及び５の中で伝送することにより、ＰＳＳは半フレームだけ分離されるので、ＵＥは半フレームの５ミリ秒に基づいて同期することができる。ＵＥが５ミリ秒のタイミングを決定した後、ＵＥはＳＳＳ  ４０４によって無線フレームのタイミング及びセルのグループ識別子の判定を続行する。
【００６８】
ＳＳＳは５ミリ秒の周期性を有し、ＰＳＳの前のシンボルの中で伝送される。ＳＳＳは、周波数領域内の２つの２進シーケンスをインターリーブすることによって形成される。ＬＴＥでは、ＳＳＳは、物理層のセル識別子グループを識別する１６８個の異なるシーケンスから構成される。ＰＳＳの物理層識別子及びＳＳＳのセル識別子グループを確認することにより、特定のｅＮＢを識別する物理層セル識別子を判定することができる。
【００６９】
ここで図５を参照すると、図５は、セルの識別を判定する例示的な相関機構５００を図示している。移動無線チャネルにおいて、フェージングにより受信信号レベルが悪影響を受ける可能性がある。したがって、検出の信頼性を改善するために、ＵＥは、１つ以上の半フレームからのＰＳＳ／ＳＳＳサンプルを使用して同期を取得し、フェージングチャネル内に存在する時間ダイバーシティを使用することができる。取得のために半フレームの数を増加することにより、検出の信頼性が改善する。しかし、半フレームの数を増加すると、ＵＥのＤＲＸウェイクアップ時間の持続時間もまた増加する場合があるので、消費電力が増加する。
【００７０】
ブロック５０２で、周期的なｅＮＢ伝送から受信した入力サンプルに対してＰＳＳ相関が実行される。ＰＳＳ相関によって、同期タイミングのオフセットを判定するためのＰＳＳ伝送の５ミリ秒の周期性に基づく推定タイミングが提供される。更に、入力サンプルからｅＮＢのＰＳＳの物理層ＩＤが得られる。ブロック５０４で、同期タイミングのオフセットを使用して入力サンプルのタイミングが調節される。入力サンプルのタイミングを調節することにより、ブロック５０６で、入力サンプルのＳＳＳを得るための高速フーリエ変換（ＦＦＴ）を実行することができる。ブロック５０８で、セル識別子グループの値を得るために、複数のＳＳＳサンプルが相関される。物理層ＩＤ及びセル識別子グループの両方が決定された後、ブロック５１０で物理セル識別子を計算することができる。
【００７１】
例示的動作
隣接セルをサーチし、選択する過程で、隣接セルサーチ持続時間の増加により、セルの検出及び取得の信頼性の両方に加えてＤＲＸ中のウェイク時間が増加する可能性がある。隣接セルサーチの目的は最終的に再選択／ハンドオーバーする隣接セルを検出することにあるので、サービス中のセルと同程度の受信信号強度を有する比較的強力な隣接セルの確率が高い場合のシナリオでは、隣接セルの検出の信頼性がより重要となる。したがって、隣接セルを有する確率が低いシナリオでは、サーチ及び対応する覚醒時間を最小限に抑えることができ、又は隣接セルサーチは一斉に停止させることができる。したがって、所与の状況下で隣接セルが存在する可能性がどのくらいあるかを予知する手段を有することができることが重要である。
【００７２】
特定の実施形態又は実施において、無線チャネルの物理層メトリックが、隣接セルが存在し得る可能性がどのくらいであるかの良好な示度を提供できることが認識される。例えば、サービス中のＢＳの基準信号受信電力（ＲＳＲＰ）が非常に低い場合、それは隣接セルが存在することを示している可能性がある。例えば、サービス中のＢＳが非常に低いＲＳＰＲを報告している場合、ＵＥはキャンプオンするためのより良好なＲＳＲＰを有する新しいセルを見つけることができる筈であり、又はサービス中のＢＳは、適切に設計されたセルラーネットワークであるという前提でより良好なＲＳＲＰのセルにハンドオーバーする決定を開始している筈である。更に、ＲＳＲＰと比較して受信信号強度表示（ＲＳＳＩ）のレベルが高い場合、それは大きな干渉が隣接セルの存在に起因している可能性があることを示している。受信信号受信品質（ＲＳＲＱ）はＲＳＳＩに対するＲＳＲＰの比であるので、ＲＳＲＱは隣接セルの存在の良好な示度を提供する。更に、受信信号の信号対干渉雑音比（ＳＩＮＲ）が低くＲＳＲＰが著しく大きい場合、隣接セルがＳＩＮＲを低下させている可能性が高い。更に、変調及び符号化方式が堅牢なシナリオで受信ブロック誤り率（ＢＬＥＲ）が高くＲＳＲＰが高い場合、それは隣接セルによって生じている干渉が受信性能を低下させているという強い示度である。
【００７３】
無線移動セルラーチャネルは、上述の状況の多くが発生し得る多数のシナリオを可能とする。したがって、適応アルゴリズムは、物理層メトリックを使用して、必要のないときにはサーチに掛ける時間を最小限に留めることによって電池寿命を節約しながら、隣接セルサーチの持続時間を決定することができる。更に、これら物理層メトリックを組み合わせることによって、サーチ時間の最適化を助けることができる。強い干渉を受けているサービス中のＢＳの信号品質が低い（例えば、非常に低いＲＳＲＰ、又はＲＳＲＰの高いＢＬＥＲの）場合のように隣接セルが存在する可能性が高い例では、サーチウィンドウを広げて隣接セル検出の信頼性を改善することができる。隣接セルが存在する可能性が低い（例えば、低干渉状態の）場合は、信頼性の向上は不要なので、サーチウィンドウは小さいままとすることができる。
【００７４】
ここで図６を参照すると、複数の物理チャネルメトリックを使用した不連続受信中の電力消費を改善する、例示的な一般化された方法６００が示され、説明されている。一態様において、この方法は、隣接セル及びサービス中のＢＳによって送信された第１のメトリックの品質、並びにサービス中のＢＳからの品質に関連した１つ以上のパラメータを解析する。
【００７５】
ステップ６０２において、ＵＥが隣接セルパラメータ（例えば、図２ａの例にあるようなサーチ持続時間など）を適応的に調節するうえで有用な隣接セルサーチパラメータを初期化する。
【００７６】
ステップ６０４において、ＵＥが、サービス中のＢＳ及び全ての隣接セルに関連した物理層メトリックを取得する。全ての必要な測定及び計算が実行された後、この方法は、ステップ６０６に進む。
【００７７】
方法６００のステップ６０６において、ＵＥが、第１のメトリック（例えば、識別シーケンス）の品質が第１の評価基準を満たすか否かを判定する。評価基準が満たされていれば、この方法はステップ６０８に進み、満たされていなければ、この方法はステップ６１０に進む。
【００７８】
ステップ６０８において、干渉が隣接セルの確実な検出に及ぼす悪影響の可能性があると判定され、関連するパラメータが更新される。隣接セルパラメータが更新された後、この方法はステップ６０４に戻ることができる。
【００７９】
ステップ６１０において、物理層の測定値が第２の評価基準を満たすか否かをＵＥが判定する。評価基準が満たされていなければ、それは現行の隣接セルサーチパラメータを使用した隣接セルの識別の信頼性が損なわれる可能性があり、十分な信頼性を提供するようにパラメータを調節すべきであることを示している。ステップ６１２において、必要な調節が決定される。
【００８０】
ステップ６１２において、ＵＥが、物理層の測定値が第３の評価基準を満たすか否か、及び調節が必要であるか否かを判定する。何らかの必要な調節が決定された後、この方法はステップ６１４に進む。
【００８１】
ステップ６１４において、ＵＥが隣接セルサーチパラメータを更新する。隣接セルサーチパラメータが更新された後、ＵＥはステップ６０４に戻ることができる。
【００８２】
ステップ６１６に進んで、物理層の測定値が第４の評価基準を満たすか否かをＵＥが判定する。測定値が、決定されたセル識別の信頼性のレベルを維持しながら関連したサーチパラメータを調節するために十分な品質であるとみなされれば、この方法はステップ６１８に進む。
【００８３】
ステップ６１８において、物理層の測定値が第５の評価基準を満たすか否かをＵＥが判定する。関連した調節が決定された後、この方法はステップ６２０に進む。
【００８４】
ステップ６２０において、ＵＥが隣接セルサーチパラメータを更新する。隣接セルサーチパラメータが更新された後、ＵＥはステップ６０４に戻ることができる。
【００８５】
ステップ６２２において、物理チャネルの測定値が（ステップ６１０によって）第２の評価基準も（ステップ６１６によって）第３の評価基準も満たしていないと判定された後、ＵＥは、隣接セルサーチパラメータを更新しない。
【００８６】
ここで図６ａを参照すると、図６の複数の物理チャネルメトリックを使用した不連続受信中の電力消費を改善する方法６３０の例示的な実施が示され、説明されている。一態様において、この方法は、隣接セル及びサービス中のＢＳによって送信された識別シーケンスの品質、並びにサービス中のＢＳからの信号品質を解析する。具体的には、ＵＥは、セル間干渉を示す物理層の測定値に基づいて隣接セルサーチ持続時間を調節する。更に、ＵＥは、サービス中のＢＳのＲＳＲＱ測定値と様々な閾値との比較に基づいて隣接セルサーチ持続時間を調節することもできる。
【００８７】
ステップ６３２において、ＵＥが隣接セルサーチ持続時間を適応的に調節するうえで有用な隣接セルサーチパラメータを初期化する。最小ＮＣＳＤＵＲから最大ＮＣＳＤＵＲまでを昇順に配列したＮ個のＮＣＳＤＵＲから、隣接セルサーチ持続時間（ＮＣＳＤＵＲ）の集合Ｓが選択される。更に、集合の大きさＮ−１の２つの閾値の集合が決定される。第１の集合はＲＳＲＱ＿Ｔｈｒｅｓｈｏｌｄｌｏｗであり、隣接セルサーチ持続時間を増加すべき場合を決定する閾値の集合である。第２の集合はＲＳＲＱ＿Ｔｈｒｅｓｈｏｌｄｈｉｇｈであり、隣接セルサーチ持続時間を減少すべき場合を決定する閾値の集合である。上述の集合は共に、最大値から最小値までの降順に配列されている。ＵＥは、それぞれ式（１）、式（２）、及び式（３）に従って、ＮＣＳＤＵＲ、ＲＳＲＱｌｏｗ、及びＲＳＲＱｈｉｇｈのパラメータを初期化する。更に、サービス中のＢＳ及び隣接セルの識別信号の信号対雑音比（ＳＮＲ）の差を比較するうえで有用な１対の閾値パラメータが決定される。第１の閾値パラメータはＳＮＲ＿Ｔｈｒｅｓｈｏｌｄｌｏｗであり、第２の閾値はＳＮＲ＿Ｔｈｒｅｓｈｏｌｄｈｉｇｈである。ＳＮＲ＿Ｔｈｒｅｓｈｏｌｄｌｏｗ及びＳＮＲ＿Ｔｈｒｅｓｈｏｌｄｈｉｇｈは、隣接セルとサービス中のＢＳとの間の干渉の実質的な可能性を示すＳＮＲ値の範囲を規定する。ある例示的な変異型において、ＳＮＲ＿Ｔｈｒｅｓｈｏｌｄ値の複数の集合を値の複数の集合として定義することができる。例えば、セルサーチウィンドウ持続時間に基づいてＳＮＲ＿Ｔｈｒｅｓｈｏｌｄ値の集合を使用することができる。
【００８８】
ステップ６３４において、ＵＥが、サービス中のＢＳ及び任意の隣接セルに関連した物理層メトリックを取得する。例示的な一実施形態において、ＵＥは、サービス中のＢＳのＲＳＲＱを測定し、計算すると共に、一次同期シーケンス（ＰＳＳ）及び二次同期シーケンス（ＳＳＳ）の両方のＳＮＲを計算する。更に、ＵＥは、隣接セルサーチウィンドウの期間中、任意の検出可能な隣接セルのＰＳＳ／ＳＳＳのＳＮＲを計算する。サービス中のＢＳのＰＳＳ／ＳＳＳのＳＮＲ（ＳＮＲｓｅｒｖｉｎｇ）及び隣接セルのそれ（ＳＮＲｎｅｉｇｈｂｏｒ）を決定すると同時に、式（６）に従ってΔＳＮＲが計算される。
【００８９】
ΔＳＮＲ＝ＳＮＲｎｅｉｇｈｂｏｒ−ＳＮＲｓｅｒｖｉｎｇ                          （式６）
別の一実施形態において、ＳＮＲｓｅｒｖｉｎｇ及びＳＮＲｎｅｉｇｈｂｏｒは、ＰＳＳのＳＮＲにのみ基づく。別の方法の実施形態では、ＳＮＲｓｅｒｖｉｎｇ及びＳＮＲｎｅｉｇｈｂｏｒは、ＳＳＳのＳＮＲからのみ決定される。更に別の実施において、ＳＮＲｓｅｒｖｉｎｇ及びＳＮＲｎｅｉｇｈｂｏｒは、ＰＳＳ及びＳＳＳのＮＳＲの組み合わせに基づいて計算される。全ての必要な測定及び計算が実行された後、この方法はステップ６３６に進む。
【００９０】
方法６３０のステップ６３６において、ＵＥが、識別シーケンスの品質が閾値の範囲内であるか否かを判定する。一実施形態において、ＵＥは、ΔＳＮＲがＳＮＲ＿ＴｈｒｅｓｈｏｌｄｌｏｗとＳＮＲ＿Ｔｈｒｅｓｈｏｌｄｈｉｇｈとの間の範囲内であるか否かを判定する。（式（７）を参照。）
【００９１】
ＳＮＲ＿Ｔｈｒｅｓｈｏｌｄｌｏｗ＜ΔＳＮＲ＜ＳＮＲ＿Ｔｈｒｅｓｈｏｌｄｈｉｇｈ        （式７）
前述のとおり、ＳＮＲ＿Ｔｈｒｅｓｈｏｌｄｌｏｗ及びＳＮＲ＿Ｔｈｒｅｓｈｏｌｄｈｉｇｈが、同程度の信号強度のレベルに基づいて、隣接セル及びサービス中のＢＳが相互に実質的に干渉し合っている確率を示す範囲を規定する。ＳＮＲ＿Ｔｈｒｅｓｈｏｌｄｌｏｗよりも低いΔＳＮＲは、サービス中のＢＳからの信号が隣接セルのそれよりも遙かに強力であるか、又は隣接セルが検出するできないほど遠くにあり、隣接セルの信号強度が測定を検討するには弱過ぎることを示している。一方、ΔＳＮＲがＳＮＲ＿Ｔｈｒｅｓｈｏｌｄｈｉｇｈよりも高い場合は、隣接セルの信号がサービス中のＢＳよりも十分に強力であり、隣接セルを確実に検出する確率が高まることを示している。したがって、隣接セルを検出するうえで必要な信頼性を維持しながら隣接セルサーチ持続時間を短縮できる可能性がある。ΔＳＮＲが式（７）の条件を満たしていれば、この方法はステップ６３８に進む。ΔＳＮＲが式（７）を満たしていなければ、この方法はステップ６４０に進む。
【００９２】
ステップ６３８に進んで、信号強度に関して隣接セルとサービス中のＢＳとの間のＳＮＲが近すぎるので、干渉によって隣接セルの確実な検出に悪影響を及ぼすと判定された。一実施形態において、ＵＥは、検出の信頼性を向上させるために、ＮＣＳＤＵＲを候補中の最も長いサーチ持続時間に更新する。したがって、式（１）がＮＣＳＤＵＲをｉ＝Ｎ（即ち、最長持続時間）で設定する一方、ＲＳＲＱｌｏｗ及びＲＳＲＱｈｉｇｈは式（２）及び式（３）に従ってｉ＝Ｎ−１（即ち最小閾値）を使用して設定される。隣接セルサーチパラメータが更新された後、この方法はステップ６３４に戻ることができる。
【００９３】
ステップ６４０において、ＵＥが、物理層の測定値が第１の閾値内であるか否かを判定する。例示的な一実施形態において、測定されたＲＳＲＱがＲＳＲＱｌｏｗと比較される。ＲＳＲＱがＲＳＲＱｌｏｗの閾値よりも大きな値であれば、隣接セルサーチ持続時間を増加させる必要はなく、この方法はステップ６４６に進む。ＲＳＲＱがＲＳＲＱｌｏｗ未満であれば、それは、現行の隣接セルサーチ持続時間を使用した隣接セルの識別の信頼性が損なわれる可能性があり、十分な信頼性を提供するためには持続時間を増加するべきであることを示している。ステップ６４２において、隣接セルサーチ持続時間の増加が決定される。
【００９４】
ステップ６４２では、ＵＥが、物理層の測定値が第１の閾値の範囲の集合の中にあるか否かを判定する。一実施形態において、ＵＥは、式（４）を満たす添え字ｉを見つけるためにＲＳＲＱ＿Ｔｈｒｅｓｈｏｌｄｌｏｗの集合を検索する。式（４）を満たすｉの値がなければ、それは、ＲＳＲＱがＲＳＱＰ＿Ｔｈｒｅｓｈｏｌｄｌｏｗの最低値よりも低いことを示しており、したがって、ｉが候補中の最低値であるＲＳＱＰ＿Ｔｈｒｅｓｈｏｌｄｌｏｗのｉ＝（Ｎ−１）に設定される。このような場合、ＮＣＳＤＵＲは候補中最長の持続時間に設定されることに留意されたい。添え字ｉが決定された後、この方法はステップ６４４に進む。
【００９５】
ステップ６４４において、ＵＥが隣接セルサーチパラメータを更新する。一実施形態において、ＵＥは、ステップ６４２によって決定された添え字ｉの値を使用して隣接セルサーチパラメータを更新する。式（１）、式（２）、及び式（３）をそれぞれ使用して、サーチパラメータであるＮＣＳＤＵＲ、ＲＳＲＱｌｏｗ、及びＲＳＲＱｈｉｇｈが更新される。隣接セルサーチパラメータが更新された後、ＵＥはステップ６３４に戻ることができる。
【００９６】
ステップ６４６に進んで、物理層の測定値が第２の閾値以内であるか否かをＵＥが判定する。一例示的な実施形態において、測定されたＲＳＲＱがＲＳＲＱｈｉｇｈの値と比較される。ＲＳＲＱがＲＳＲＱｈｉｇｈ未満であれば、それは、ＲＳＲＱが隣接セルサーチをより短い持続時間に変更するのに十分な改善がされていないことを示しており、この方法はステップ６２２に進む。ＲＳＲＱがＲＳＲＱｈｉｇｈよりも大きければ、ＲＳＲＱは、セルを認識するために決定された信頼性のレベルを維持しながら隣接セルサーチ持続時間のウィンドウを減少させるのに十分な品質であるとみなされる。ＲＳＲＱがＲＳＲＱｈｉｇｈよりも大きいと判定された後、この方法はステップ６４８に進む。
【００９７】
ステップ６４８において、ＵＥが、物理層の測定値が第２の閾値の集合内にあるか否かを判定する。一実施形態において、ＵＥは、式（５）を満たす添え字ｉを見つけるためにＲＳＲＱ＿Ｔｈｒｅｓｈｏｌｄｈｉｇｈの集合を検索する。式（５）を満たすｉの値が存在しなければ、ＲＳＲＱがＲＳＲＱ＿Ｔｈｒｅｓｈｏｌｄｈｉｇｈの最大値よりも大きいことを示している。このような場合、添え字ｉは、ＲＳＲＱ＿Ｔｈｒｅｓｈｏｌｄｈｉｇｈの最大値であるｉ＝０であるとして決定される。添え字ｉの値が決定された後、この方法はステップ６５０に進む。
【００９８】
ステップ６５０において、ＵＥが隣接セルサーチパラメータを更新する。一実施形態において、ＵＥは、ステップ６１８によって決定された添え字ｉの値を使用して隣接セルサーチパラメータを更新する。式（１）、式（２）、及び式（３）をそれぞれ使用して、サーチパラメータであるＮＣＳＤＵＲ、ＲＳＲＱｌｏｗ、及びＲＳＲＱｈｉｇｈが更新される。隣接セルサーチパラメータが更新された後、ＵＥはステップ６３４に戻ることができる。
【００９９】
ステップ６５２において、物理チャネルの測定値が（ステップ６４０によって）第１の閾値以内ではなく、（ステップ６４６によって）第２の閾値以内ではないと判定された後は、ＵＥは、隣接セルサーチパラメータを更新しない。一実施形態において、ＵＥは、格納されているＮＣＳＤＵＲ、ＲＳＲＱｌｏｗ、及びＲＳＲＱｈｉｇｈの値を再使用し、次にステップ６４４に戻る。
【０１００】
装置
ここで図７を参照すると、不連続受信中の電力消費を改良した例示的なユーザ装置７００が図示されている。本明細書内では具体的な一装置構成及びレイアウトが示され、説明されているが、本開示による図７の装置７００は本開示のより広範な原理の例示に過ぎないことから、当業者によってその他多くの構成を容易に実施できることが認識される。
【０１０１】
図７の装置７００は、１つ以上の無線送受信機７０２、コンピュータ可読メモリ７０４、及び処理サブシステム７０６を含んでいる。
【０１０２】
処理サブシステム７０６は、マイクロプロセッサ、デジタル信号処理装置、フィールドプログラマブルゲートアレイ、ＲＩＳＣコア、若しくは１つ以上の基板上に搭載された複数の処理構成要素のような１つ以上の中央演算処理装置（ＣＰＵ）又はデジタルプロセッサを含んでいる。処理サブシステムは、例えば、ＳＲＡＭ、フラッシュ、ＳＤＲＡＭ、及び／又はＨＤＤ（ハードディスクドライブ）といった構成要素を含むことのできるコンピュータ可読メモリ９０４に連結している。本明細書内で使用される「メモリ」という言葉は、ＲＯＭ、ＰＲＯＭ、ＥＥＰＲＯＭ、ＤＲＡＭ、ＳＤＲＡＭ、ＤＤＲ／２  ＳＤＲＡＭ、ＥＤＯ／ＦＰＭＳ、ＲＬＤＲＡＭ、ＳＲＡＭ、「フラッシュ」メモリ（例えばＮＡＮＤ／ＮＯＲ）、及びＰＳＲＡＭを含むがこれに限定されない、デジタルデータを格納するように構成されている任意の種類の集積回路又はその他の記憶装置を含む。処理サブシステムはまた、専用グラフィックアクセラレータ、ネットワークプロセッサ（ＮＰ）、又はオーディオ／ビデオプロセッサなどの追加のコプロセッサを備えることもできる。図示のとおり、処理サブシステム７０６は個別部品を含んでいるが、実施形態によってはこれらを統合し、又はＳｏＣ（システムオンチップ）構成に作り上げることができることが理解される。
【０１０３】
処理サブシステム７０６は、無線送受信機７０２から１つ以上のデータストリームを受信するように構成されている。この例示的な実施形態の無線送受信機は、一般的には、隣接セルサーチ持続時間を調節する能力を有する１つ以上の構成要素を有するセルラー無線送受信機を備えている。
【０１０４】
本開示を考慮すれば、当業者によって、適応的隣接セルサーチ持続時間のための無数の他の方式が認識されるであろう。本開示の特定の特徴は、ある方法の特定の一連のステップの観点から説明されているが、これらの説明は、より広範な開示の方法の例示に過ぎないものであり、特定の用途によって、必要に応じて修正することができる点が理解されるであろう。特定のステップは、特定の状況下では、不必要又は任意選択とすることができる。更には、特定のステップ又は機能性を、開示される実施形態に追加することができ、あるいは２つ以上のステップの実行の順序を、置き換えることもできる。全てのそのような変更形態は、本明細書で開示され特許請求される、本開示の範囲内に包含されると見なされる。
【０１０５】
上述の詳細な説明は、様々な実施形態に適用される本開示の新規の特徴を図示し、説明し、かつ指摘しているが、当業者が、本開示から逸脱することなく、例示の装置又はプロセスの形態及び詳細に様々な省略、代替、及び変更を施すことができることが理解されるであろう。前述の説明は、本開示の実行に関して現時点で想到される最良の様式である。本説明は、限定することを決して意図するものではなく、むしろ、本開示の一般的原理の例示として解釈されるべきである。本開示の範囲は、特許請求の範囲に準拠して決定されるべきである。
【図１】
0005903172.tif 000002
【図２】
0005903172.tif 000003
【図２Ａ】
0005903172.tif 000004
【図３】
0005903172.tif 000005
【図４】
0005903172.tif 000006
【図４Ａ】
0005903172.tif 000007
【図５】
0005903172.tif 000008
【図６】
0005903172.tif 000009
【図６Ａ】
0005903172.tif 000010
【図７】
0005903172.tif 000011